(57)【要約】【課題】消費電力を低減し、且つ、ユーザにとってより好適な画像を表示することができる技術を提供する。【解決手段】本発明の表示装置は、入力画像データに基づく画像を画面に表示する表示手段と、前記表示手段の消費電力が所定の消費電力以下になるように、前記表示手段の前記画面のうち第１領域の表示輝度範囲の上限値よりも、前記表示手段の前記画面の前記第１領域でない第２領域の表示輝度範囲の上限値を低くする制御を行う制御手段と、を備える。【選択図】図１
2019215507.tif 000002
【特許請求の範囲】
【請求項１】
入力画像データに基づく画像を画面に表示する表示手段と、
前記表示手段の消費電力が所定の消費電力以下になるように、前記表示手段の前記画面のうち第１領域の表示輝度範囲の上限値よりも、前記表示手段の前記画面の前記第１領域でない第２領域の表示輝度範囲の上限値を低くする制御を行う制御手段と、
を備えることを特徴とする表示装置。
【請求項２】
前記表示輝度範囲の上限値は、前記表示手段に前記入力画像データの白領域が表示された場合の表示輝度である
ことを特徴とする請求項１に記載の表示装置。
【請求項３】
ユーザの操作に応じて前記第１領域を設定する設定手段をさらに備える
ことを特徴とする請求項１または請求項２に記載の表示装置。
【請求項４】
前記設定手段は、ユーザによって指定された前記画面のサイズに対する前記第１領域のサイズの比率と、前記入力画像データと、に基づいて、前記第１領域を設定する
ことを特徴とする請求項３に記載の表示装置。
【請求項５】
複数の入力画像データを受信する入力手段と、
前記複数の入力画像データを合成して合成画像データを生成する合成手段と、
をさらに備え、
前記設定手段は、ユーザの操作に応じて、前記複数の入力画像データのうち、少なくとも１つの入力画像データを選択し、前記合成手段により生成された前記合成画像データに対し、選択した入力画像データが配置された領域を、前記第１領域として設定する
ことを特徴とする請求項３に記載の表示装置。
【請求項６】
前記制御手段は、前記設定手段に設定された前記第１領域の一部の表示輝度範囲の上限値が、前記第１領域の他の部分の表示輝度範囲の上限値よりも低くなるように、前記表示手段を制御する
ことを特徴とする請求項３〜５のいずれか１項に記載の表示装置。
【請求項７】
前記制御手段は、前記設定手段に設定された前記第１領域の縁部分の表示輝度範囲の上限値が、前記第１領域の中央部分の表示輝度範囲の上限値よりも低くなるように、前記表示手段を制御する
ことを特徴とする請求項６に記載の表示装置。
【請求項８】
前記制御手段は、前記画面の前記第２領域に対応する前記入力画像データの部分の階調値を低減した補正画像データに基づいて前記表示手段を制御することにより、前記第２領域の表示輝度の上限値を低減する
ことを特徴とする請求項１〜７のいずれか１項に記載の表示装置。
【請求項９】
前記制御手段は、前記第２領域に対応する前記入力画像データの部分の階調値を、前記所定の消費電力に基づく係数で低減した前記補正画像データに基づいて、前記表示手段を制御する
ことを特徴とする請求項８に記載の表示装置。
【請求項１０】
前記制御手段は、前記入力画像データに基づいて前記表示手段に画像を表示した場合の消費電力、および前記所定の消費電力に基づいて、前記第２領域に対応する前記入力画像データの部分の階調値を低減して前記補正画像データを生成する
ことを特徴とする請求項９に記載の表示装置。
【請求項１１】
前記制御手段は、
前記第１領域で想定される最大消費電力、前記第２領域における合成画像データに基づく消費電力、及び、前記所定の消費電力に基づいて、前記第２領域に対応する前記合成画像データの部分の階調値を低減して補正画像データを生成し、
前記補正画像データに基づいて前記表示手段を制御することにより、前記第２領域の表示輝度の上限値を低減する
ことを特徴とする請求項５に記載の表示装置。
【請求項１２】
前記制御手段は、
前記複数の入力画像データのうち、選択されなかった入力画像データのみを表示した場合の消費電力と、前記合成画像データを表示した場合の消費電力とを比較し、それらの消費電力のうちの大きい方と前記所定の消費電力とに基づいて、前記第２領域に対応する前記合成画像データの部分の階調値を低減して補正画像データを生成し、
前記補正画像データに基づいて前記表示手段を制御することにより、前記第２領域の表示輝度の上限値を低減する
ことを特徴とする請求項５に記載の表示装置。
【請求項１３】
前記表示手段は、自発光型の表示パネルである
ことを特徴とする請求項１〜１２のいずれか１項に記載の表示装置。
【請求項１４】
前記表示手段は、
複数の光源部と、
前記複数の光源部から発せられた光を前記入力画像データに基づいて透過することにより、前記画像を前記画面に表示する透過型の表示パネルと、
を備え、
前記制御手段は、
各光源部に対応する前記入力画像データの部分の輝度レベルに基づいて、各光源部の発光輝度を設定する輝度設定手段と、
前記輝度設定手段により設定された各光源部の発光輝度に基づいて各光源部を制御する発光制御手段と、
を備え、
前記発光制御手段は、前記設定された各光源部の発光輝度で各光源部を制御した場合の消費電力が前記所定の消費電力より大きくなる場合に、
前記複数の光源部のうち、前記第１領域に対応する光源部を、当該光源部に設定された発光輝度で発光するように制御し、
前記複数の光源部のうち、前記第２領域に対応する光源部を、前記光源部に設定された発光輝度よりも低い発光輝度で発光するように制御する
ことを特徴とする請求項１〜７のいずれか１項に記載の表示装置。
【請求項１５】
前記発光制御手段は、前記設定された各光源部の発光輝度で各光源部を制御した場合の消費電力と前記所定の消費電力とに基づいて、前記第２領域に対応する光源部に設定された発光輝度を補正する
ことを特徴とする請求項１４に記載の表示装置。
【請求項１６】
前記制御手段は、前記設定された各光源部の発光輝度で各光源部を制御した場合の消費電力と前記所定の消費電力とに基づいて、前記入力画像データのうち前記第２領域に対応する部分の階調値を補正して補正画像データを生成する処理手段をさらに備え、
前記発光制御手段は、前記補正画像データに基づいて、各光源部の発光輝度を制御する
ことを特徴とする請求項１４に記載の表示装置。
【請求項１７】
入力画像データに基づく画像を表示手段の画面に表示する表示ステップと、
前記表示手段の消費電力が所定の消費電力以下になるように、前記表示手段の前記画面のうち第１領域の表示輝度範囲の上限値よりも、前記表示手段の前記画面の前記第１領域でない第２領域の表示輝度範囲の上限値を低くする制御を行う制御ステップと、
を有することを特徴とする表示装置の制御方法。
【請求項１８】
コンピュータを、請求項１〜１６のいずれか１項に記載の表示装置の各手段として機能させるためのプログラム。
【請求項１９】
コンピュータを、請求項１〜１６のいずれか１項に記載の表示装置の各手段として機能させるためのプログラムを格納したコンピュータが読み取り可能な記憶媒体。
【発明の詳細な説明】
【技術分野】
【０００１】
本発明は、表示装置及びその制御方法に関する。
【背景技術】
【０００２】
高輝度表示に対応した表示装置（ＨＤＲ（Ｈｉｇｈ  Ｄｙｎａｍｉｃ  Ｒａｎｇｅ）モニタ）では、表示装置の消費電力を低減するために、表示輝度の上限値（ピーク輝度）を制御することがある（ローディング制御）。例えば、表示画像の平均輝度が高いときに、ピーク輝度を低減することにより、表示装置の消費電力を低減する制御を実行する。
【０００３】
表示輝度の上限値を低減することにより、表示画像は全体的に暗く表示される。ユーザが表示画像の輝度を上げる輝度調整処理を施したとしても、上述した表示輝度の上限値の低減処理により、意図した輝度調整処理が実現されないことがあった。特に、表示画像の一部に対する輝度調整処理において、意図通りの調整結果が得られない。
【０００４】
特許文献１に記載の画像表示制御装置は、画像表示装置に表示される画像のうち関心領域以外の輝度値を低減することにより、関心領域の視認性を向上させる。
【先行技術文献】
【特許文献】
【０００５】
【特許文献１】特開２０１７−９０５９５号公報
【発明の概要】
【発明が解決しようとする課題】
【０００６】
しかしながら、特許文献１に開示の技術では、関心領域以外の表示輝度を低減しても消費電力が十分に低減できない場合に、さらにローディング制御が実行され、ユーザが望む輝度で表示画像を表示することができないことがある。
【０００７】
本発明は、消費電力を低減し、且つ、ユーザにとってより好適な画像を表示することができる技術を提供することを目的とする。
【課題を解決するための手段】
【０００８】
本発明の第１の態様は、
入力画像データに基づく画像を画面に表示する表示手段と、
前記表示手段の消費電力が所定の消費電力以下になるように、前記表示手段の前記画面のうち第１領域の表示輝度範囲の上限値よりも、前記表示手段の前記画面の前記第１領域でない第２領域の表示輝度範囲の上限値を低くする制御を行う制御手段と、
を備えることを特徴とする表示装置である。
【０００９】
本発明の第２の態様は、
入力画像データに基づく画像を表示手段の画面に表示する表示ステップと、
前記表示手段の消費電力が所定の消費電力以下になるように、前記表示手段の前記画面のうち第１領域の表示輝度範囲の上限値よりも、前記表示手段の前記画面の前記第１領域でない第２領域の表示輝度範囲の上限値を低くする制御を行う制御ステップと、
を有することを特徴とする表示装置の制御方法である。
【００１０】
本発明の第３の態様は、コンピュータを、上述した表示装置の各手段として機能させるためのプログラムである。本発明の第４の態様は、コンピュータを、上述した表示装置の
各手段として機能させるためのプログラムを格納したコンピュータが読み取り可能な記憶媒体である。
【発明の効果】
【００１１】
本発明によれば、消費電力を低減し、且つ、ユーザにとってより好適な画像を表示することができる。
【図面の簡単な説明】
【００１２】
【図１】実施例１に係る表示装置の構成例を示すブロック図である。
【図２】実施例１〜３に係る複数のＢＬ制御領域の一例を示す模式図である。
【図３】実施例１〜３に係るテーブルデータの一例を示す模式図である。
【図４】実施例１に係る入力画像の一例を示す模式図である。
【図５】実施例１に係る表示画像の一例を示す模式図である。
【図６】実施例２に係る表示装置の構成例を示すブロック図である。
【図７】実施例２に係る入力画像の一例を示す模式図である。
【図８】実施例２に係る表示画像の一例を示す模式図である。
【図９】実施例３に係る表示装置の構成例を示すブロック図である。
【図１０】実施例３に係る入力画像の一例を示す模式図である。
【図１１】実施例３に係る表示画像の一例を示す模式図である。
【図１２】実施例４に係る表示装置の構成例を示すブロック図である。
【図１３】実施例５に係る表示装置の構成例を示すブロック図である。
【図１４】実施例５に係る入力画像データなどの一例を示す模式図である。
【図１５】実施例５に係る指定領域などの一例を示す模式図である。
【図１６】実施例５に係る補正後の各光源の発光輝度の一例を示す模式図である。
【図１７】実施例５に係る発光輝度の制御フロー例を示すフローチャートである。
【図１８】比較例に係る各光源の発光輝度などの一例を示す模式図である。
【図１９】実施例５に係る表示画像の一例を示す模式図である。
【図２０】実施例６に係る表示装置の構成例を示すブロック図である。
【図２１】実施例６に係る入力画像データと合成画像データとの一例を示す模式図である。
【発明を実施するための形態】
【００１３】
＜実施例１＞
以下、本発明の実施例１について説明する。
［表示装置の構成］
図１は、本実施例に係る表示装置の構成例を示すブロック図である。本実施例に係る表示装置は、表示パネル１０、発光部２０、および制御部１００を備える。制御部１００は、入力部１０１、領域設定部１０２、メモリ１０３、画素値変換部１０４、領域内電力算出部１０５、領域外電力算出部１０６、画像処理部１０７、及び、発光制御部１０８を有する。メモリ１０３、画素値変換部１０４、領域内電力算出部１０５、領域外電力算出部１０６、画像処理部１０７、及び、発光制御部１０８は、表示装置の制御回路基板に実装された電子回路によってその機能が実行されるとする。
【００１４】
表示パネル１０と発光部２０により、入力画像データ（表示装置に入力された画像データ）に基づく画像が画面に表示される。
【００１５】
表示パネル１０は、発光部２０から発せられた光を入力画像データに基づいて透過することにより画面に画像を表示する透過型の表示パネルである。例えば、表示パネル１０は、液晶パネル、ＭＥＭＳ（Ｍｉｃｒｏ  Ｅｌｅｃｔｒｏ  Ｍｅｃｈａｎｉｃａｌ  Ｓｙｓｔｅｍ）シャッター方式の表示パネル、等である。
【００１６】
発光部２０は、複数の光源部を有する。表示装置が液晶表示装置である場合などにおいて、発光部２０は「バックライトユニット」などと呼ばれる。各光源部は、１つ以上の発光素子を有する。発光素子は、ＬＥＤ（発光ダイオード）、有機ＥＬ（Ｅｌｅｃｔｒｏ−Ｌｕｍｉｎｅｓｃｅｎｃｅ）素子、レーザ光源、冷陰極管、等である。本実施例では、複数の光源部は、画面における複数のＢＬ制御領域にそれぞれ対応付けられている。各ＢＬ制御領域は、画面の一部である。図２は、複数のＢＬ制御領域の一例を示す模式図である。図２の例では、複数のＢＬ制御領域は、画面を構成する複数の分割領域である。具体的には、複数のＢＬ制御領域は、４行５列のマトリクス状に並んだ２０個の分割領域（矩形領域）である。光源部の発光輝度が変わると、当該光源部に対応するＢＬ制御領域に照射される光の輝度が変わる。
【００１７】
なお、ＢＬ制御領域は、画面を分割して得られる分割領域に限られない。ＢＬ制御領域は他のＢＬ制御領域から離れていてもよいし、ＢＬ制御領域の少なくとも一部は他のＢＬ制御領域の少なくとも一部に重なっていてもよい。ＢＬ制御領域と光源部の対応関係は、１対１の対応関係でなくてもよい。例えば、１つのＢＬ制御領域に対して２つ以上の光源部が対応付けられていてもよい。ＢＬ制御領域の配置、ＢＬ制御領域の数、ＢＬ制御領域の形状、等は特に限定されない。例えば、複数のＢＬ制御領域が千鳥格子状に並べられていてもよいし、ＢＬ制御領域の数は２０個より多くても少なくてもよい。ＢＬ制御領域の形状は、三角形、六角形、円形、等であってもよい。同様に、光源部の配置や光源部の数も特に限定されない。
【００１８】
入力部１０１は、入力画像データを入力するインターフェースである。入力画像データは、表示装置の外部の出力装置から入力されるとする。なお、入力画像データは、表示装置の不図示の記憶媒体から、入力部１０１に入力されてもよい。
【００１９】
領域設定部１０２は、画面内の対象領域を設定する。対象領域は、後述するように、消費電力の制御のための、ピーク輝度の低減を抑制する画面内の領域である。画面内の対象領域でない領域を非対象領域とする。領域設定部１０２は、ユーザが不図示のＧＵＩ等の操作部を操作することによって、画面内の対象領域を設定する。領域設定部１０２は、画面における対象領域の位置を特定するための情報（領域情報）を、領域内電力算出部１０５、領域外電力算出部１０６、および画像処理部１０７に出力する。対象領域は、例えば、ユーザが関心を持つ関心領域、ユーザが注目する注目領域、等である。
【００２０】
なお、非対象領域のみがユーザによって指定されてもよいし、対象領域と非対象領域の両方がユーザによって指定されてもよい。非対象領域のみを示す領域情報が表示装置に入力されてもよいし、対象領域と非対象領域の両方を示す領域情報が表示装置に入力されてもよい。対象領域と非対象領域は、ユーザ操作に応じて決定されて設定されるのではなく、表示装置によって自動で決定されて設定されてもよい。例えば、所定の物体（太陽、星、人物、乗り物、等）が表示される領域が対象領域として自動で決定されてもよい。所定の領域（画面の中央部分など）が対象領域として使用されてもよい。
【００２１】
ユーザが画面内の任意の領域を対象領域として指定することができる。また、後述の処理を実行しやすくするため、ＢＬ制御領域からなる領域を対象領域として指定することも可能である。
【００２２】
メモリ１０３は、光源部の発光輝度と光源部の消費電力との対応関係を示すテーブルデータを記憶する。図３は、メモリ１０３に記録されたテーブルデータの一例を示す模式図である。本実施例では、画像データに基づいて各光源部の発光輝度が個別に制御される。図３のテーブルデータでは、光源部の発光輝度の代わりに画像データの輝度値が示されて
いる。本実施例では、画像データの輝度値が大きいほど高い発光輝度に光源部の発光輝度が制御される。そして、光源部の発光輝度が高いほど、当該光源部の消費電力は大きい。そのため、図３のテーブルデータでは、画像データの輝度値が大きいほど、光源部の消費電力は大きい。
【００２３】
なお、テーブルデータでは、光源部の発光輝度に対応する情報として、画像データの輝度値とは異なる情報が示されていてもよい。例えば、光源部の発光輝度、光源部の発光輝度を制御するＢＬ制御値、画像データの画素値、画像データの他の階調値（Ｒ値、Ｇ値、Ｂ値、等）、画像データの画素値のヒストグラム、画像データの階調値のヒストグラム、等が示されていてもよい。テーブルデータの代わりに、光源部の発光輝度と光源部の消費電力との対応関係を示す関数などが用意されてもよい。
【００２４】
画素値変換部１０４は、入力画像データの各画素値を輝度値Ｙに変換し、各輝度値Ｙを領域内電力算出部１０５と領域外電力算出部１０６へ出力する。例えば、入力画像データの画素値がＲＧＢ値（Ｒ値，Ｇ値，Ｂ値）＝（Ｒ，Ｇ，Ｂ）である場合には、画素値変換部１０４は、以下の式１を用いて輝度値Ｙを算出する。式１において、「α」、「β」、及び、「γ」は、ＲＧＢ値をＹ値に変換するための所定の係数（輝度変換係数）である。なお、入力画像データの画素値はＲＧＢ値に限られない。例えば、入力画像データの画素値はＹＣｂＣｒ値であってもよい。その場合には、画素値変換部１０４は、ＹＣｂＣｒ値におけるＹ値を輝度値Ｙとして取得してもよい。
Ｙ＝α×Ｒ＋β×Ｇ＋γ×Ｂ  ・・・（式１）
【００２５】
領域内電力算出部１０５は、領域情報に基づいて、対象領域に対応する光源部を判断する。対象領域に対応する光源部は、対象領域の少なくとも一部を含むＢＬ制御領域に対応する光源部である。なお、非対象領域を含まないＢＬ制御領域に対応する光源部を対象領域に対応する光源部としてもよい。そして、領域内電力算出部１０５は、対象領域に対応する全ての光源部の総消費電力ＷＩＳを、画素値変換部１０４から出力された各輝度値Ｙと、メモリ１０３に記録されたテーブルデータとに基づいて算出する。その後、領域内電力算出部１０５は、総消費電力ＷＩＳを画像処理部１０７へ出力する。総消費電力ＷＩＳは、画像処理部１０７の画像処理が行われなかった場合の消費電力である。
【００２６】
領域外電力算出部１０６は、領域情報に基づいて、非対象領域に対応する光源部を判断する。非対象領域に対応する光源部は、対象領域に対応する光源部以外の光源部であり、例えば、対象領域を含まないＢＬ制御領域に対応する光源部であるとする。なお、非対象領域に対応する光源部は、非対象領域の少なくとも一部を含むＢＬ制御領域に対応する光源部や、非対象領域のみを含むＢＬ制御領域に対応する光源部、等であってもよい。そして、領域外電力算出部１０６は、非対象領域に対応する全ての光源部の総消費電力ＷＯＳを、画素値変換部１０４から出力された各輝度値Ｙと、メモリ１０３に記録されたテーブルデータとに基づいて算出する。その後、領域外電力算出部１０６は、総消費電力ＷＯＳを画像処理部１０７へ出力する。総消費電力ＷＯＳは、画像処理部１０７の画像処理が行われなかった場合の消費電力である。
【００２７】
なお、総消費電力ＷＩＳ，ＷＯＳの算出方法は特に限定されない。例えば、輝度値Ｙの代わりに、光源部の発光輝度、ＢＬ制御値、画像データの画素値、画像データの他の階調値（Ｒ値、Ｇ値、Ｂ値、等）、画像データの画素値のヒストグラム、画像データの階調値のヒストグラム、等が使用されてもよい。
【００２８】
画像処理部１０７は、表示部（具体的には発光部２０）の消費電力が所定の消費電力以
下になるように、対象領域の表示輝度範囲（画面上で表示可能な輝度の範囲）の上限値よりも、非対象領域の表示輝度範囲の上限値を低くする制御を行う。表示輝度範囲の上限値は、例えば、表示部（具体的には表示パネル１０）に入力画像データの白領域が表示された場合の表示輝度（画面上の輝度）である。本実施例では、画像処理部１０７は、対象領域の表示輝度が変更されずに発光部２０の消費電力が所定の消費電力以下になるように、非対象領域に対応する入力画像データの部分を処理する。具体的には、画像処理部１０７は、入力画像データのうち、非対象領域に対応する入力画像データの部分の画素値を低減（補正）することにより、非対象領域の表示輝度を低減する。それにより、画像処理（非対象領域に対応する画素値の低減）が施された後の画像データである補正画像データが生成される。非対象領域に対応する入力画像データの部分は、非対象領域に表示される入力画像データの部分とも言える。画像処理部１０７は、総消費電力ＷＩＳ，ＷＯＳと、メモリ１０３に記録されたテーブルデータと、に基づいて非対象領域に対応する入力画像データの部分の画素値を低減する。画像処理部１０７は、補正画像データを、発光制御部１０８へ出力する。なお、画像処理に使用される階調値は、Ｒ値、Ｇ値、及び、Ｂ値に限られない。例えば、輝度値が画像処理に使用されてもよい。
【００２９】
発光制御部１０８は、各光源部に対応する入力画像データの部分の明るさに基づいて、各光源部の発光輝度を制御する。発光制御部１０８は、表示部（具体的には発光部２０）の消費電力が所定の消費電力以下になるように、非対象領域に対応する光源部の発光輝度を制御する。本実施例では、発光制御部１０８は、画像処理部１０７から出力された補正画像データに基づいて、発光部２０が有する複数の光源部のそれぞれの発光輝度を個別に制御する。具体的には、発光制御部１０８は、画像処理部１０７から出力された画像データに基づいて、各光源部のＢＬ制御値を決定する。そして、発光制御部１０８は、各光源部のＢＬ制御値を発光部２０へ出力する。各光源部は、対応するＢＬ制御値に応じた発光輝度で発光する。その結果、対象領域の輝度が変更されずに発光部２０の消費電力が所定の消費電力以下になるように、非対象領域に対応する光源部の発光輝度が低減（制御）される。
【００３０】
本実施例では、発光制御部１０８は、複数の光源部のそれぞれについて、その光源部に対応するＢＬ制御領域の平均画素値（ＲＧＢ値の平均値）を、画像処理部１０７から出力された画像データに基づいて算出する。そして、発光制御部１０８は、複数の光源部のそれぞれについて、その光源部に対して算出した平均画素値に応じて、ＢＬ制御値を決定する。ＢＬ制御値は、平均画素値が大きいほど高い発光輝度に光源部の発光輝度が制御されるように決定される。
【００３１】
なお、光源部の発光輝度（ＢＬ制御値）の決定方法は、上記方法に限られない。例えば、平均値とは異なる代表値（最大値、最小値、最頻値、中間値、等）が使用されてもよい。輝度値などの他の階調値が使用されてもよい。画素値や階調値のヒストグラムに基づいて光源部の発光輝度が制御されてもよい。表示部（具体的には発光部２０）の消費電力が所定の消費電力以下になるように、対象領域の表示輝度範囲の上限値よりも、非対象領域の表示輝度範囲の上限値を低くなれば、各光源部の発光輝度は、補正画像データに基づかずに決定されてもよい。例えば、入力画像データに応じて各光源部の発光輝度（仮発光輝度）が決定され、非対象領域に対応する光源部に対して決定された仮発光輝度を補正することにより、各光源部の発光輝度が決定されてもよい。具体的には、入力画像データに応じて決定された各光源部のＰＷＭ制御値（仮発光輝度に対応するデューティ比）に係数を乗算することにより、各光源部の発光輝度が決定されてもよい。ＰＷＭ制御値に乗算される係数として、例えば、所定の消費電力を後述する総消費電力ＷＳで除算した値と略等しい値が使用される。この場合には、補正画像データの生成は不要となる。
【００３２】
［領域内電力算出部１０５の処理］
領域内電力算出部１０５の処理の具体例について説明する。
【００３３】
（ステップ１−１）
領域内電力算出部１０５は、領域情報に基づいて、対象領域に対応する光源部を判断（特定）する。
【００３４】
（ステップ１−２）
領域内電力算出部１０５は、画素値変換部１０４から出力された各輝度値Ｙに基づいて、ステップ１−１で特定した光源部に対応するＢＬ制御領域の平均輝度値ＹＡＧ（輝度値Ｙの平均値）を算出する。ステップ１−１で複数の光源部が特定された場合には、特定された複数の光源部のそれぞれについてステップ１−２の処理が行われる。
【００３５】
（ステップ１−３）
領域内電力算出部１０５は、メモリ１０３に記録されたテーブルデータから、ステップ１−２で算出した平均輝度値ＹＡＧに対応する消費電力ＷＩを取得する。ステップ１−１で複数の光源部が特定された場合には、特定された複数の光源部のそれぞれについてステップ１−３の処理が行われる。
【００３６】
（ステップ１−４）
領域内電力算出部１０５は、ステップ１−３で取得した全ての消費電力ＷＩの総和を、総消費電力ＷＩＳとして算出し、総消費電力ＷＩＳを画像処理部１０７へ出力する。
【００３７】
［領域外電力算出部１０６の処理］
領域外電力算出部１０６の処理の具体例について説明する。
【００３８】
（ステップ２−１）
領域外電力算出部１０６は、領域情報に基づいて、非対象領域に対応する光源部を判断（特定）する。
【００３９】
（ステップ２−２）
領域外電力算出部１０６は、画素値変換部１０４から出力された各輝度値Ｙに基づいて、ステップ２−１で特定した光源部に対応するＢＬ制御領域の平均輝度値ＹＡＧを算出する。ステップ２−１で複数の光源部が特定された場合には、特定された複数の光源部のそれぞれについてステップ２−２の処理が行われる。
【００４０】
（ステップ２−３）
領域外電力算出部１０６は、メモリ１０３に記録されたテーブルデータから、ステップ２−２で算出した平均輝度値ＹＡＧに対応する消費電力ＷＯを取得する。ステップ２−１で複数の光源部が特定された場合には、特定された複数の光源部のそれぞれについてステップ２−３の処理が行われる。
【００４１】
（ステップ２−４）
領域外電力算出部１０６は、ステップ２−３で取得した全ての消費電力ＷＯの総和を、総消費電力ＷＯＳとして算出し、総消費電力ＷＯＳを画像処理部１０７へ出力する。
【００４２】
［画像処理部１０７の処理］
画像処理部１０７の処理の具体例について説明する。ここでは、画像処理前の複数のＲＧＢ値（Ｒ値，Ｇ値，Ｂ値）のうち、対象領域に対応するＲＧＢ値を「ＲＧＢ値（Ｒｐｉ，Ｇｐｉ，Ｂｐｉ）」と記載し、非対象領域に対応するＲＧＢ値を「ＲＧＢ値（Ｒｐｏ，Ｇｐｏ，Ｂｐｏ）」と記載する。そして、画像処理後の複数のＲＧＢ値のうち、対象領域
に対応するＲＧＢ値を「ＲＧＢ値（Ｒｑｉ，Ｇｑｉ，Ｂｑｉ）」と記載し、非対象領域に対応するＲＧＢ値を「ＲＧＢ値（Ｒｑｏ，Ｇｑｏ，Ｂｑｏ）」と記載する。また、対象領域に対応する光源部の数を「ＳＩ」と記載し、非対象領域に対応する光源部の数を「ＳＯ」と記載する。そして、消費電力の閾値（所定の消費電力）を「ＴＨＷ」と記載する。閾値ＴＨＷは、予め定められた固定値であってもよいし、ユーザが変更可能な値であってもよい。
【００４３】
（ステップ３−１）
画像処理部１０７は、電力情報ＷＩＳと電力情報ＷＯＳの和を、発光部２０が有する全ての光源部の総消費電力ＷＳとして算出する。総消費電力ＷＳは、入力画像データに基づいて表示部に画像を表示した場合の消費電力である。本実施例では、総消費電力ＷＳは、各光源部に対応する入力画像データの部分の明るさに基づいて設定した各光源部の仮発光輝度で各光源部が発光するように制御した場合の消費電力である。具体的には、総消費電力ＷＳは、画像処理部１０７の画像処理が行われなかった場合の消費電力である。本実施例では、総消費電力ＷＳと閾値ＴＨＷとに基づいて、各光源部の発光輝度が補正される。具体的には、総消費電力ＷＳと閾値ＴＨＷとに基づいて、補正画像データが生成される。
【００４４】
（ステップ３−２）
ステップ３−１で算出された総消費電力ＷＳが閾値ＴＨＷ以下である場合には、画像処理部１０７は、以下の式２，３に従って、画像処理後のＲＧＢ値（補正画像データのＲＧＢ値）を算出することにより、補正画像データを生成する。すなわち、総消費電力ＷＳが閾値ＴＨＷ以下である場合には、画像処理前後でＲＧＢ値は変わらず、入力画像データと同じ補正画像データが生成される。
（Ｒｑｉ，Ｇｑｉ，Ｂｑｉ）＝（Ｒｐｉ，Ｇｐｉ，Ｂｐｉ）・・・（式２）
（Ｒｑｏ，Ｇｑｏ，Ｂｑｏ）＝（Ｒｐｏ，Ｇｐｏ，Ｂｐｏ）・・・（式３）
【００４５】
ステップ３−１で算出された総消費電力ＷＳが閾値ＴＨＷよりも大きい場合には、画像処理部１０７は、以下の式４〜６に従って、画像処理後のＲＧＢ値を算出することにより、補正画像データを生成する。式６において、「Ｋ（ε）」は、メモリ１０３に記録されたテーブルデータにおいて消費電力εに対応付けられた平均輝度値ＹＡＧである。なお、Ｋ（ε）は、消費電力ε以下の消費電力に対応する平均輝度値ＹＡＧであればよい。Ｋ（ε）は、消費電力εから所定のマージン（Δε）を引いた消費電力（ε−Δε）に対応する平均輝度値ＹＡＧであってもよい。但し、階調値Ｋ（ε）は、０以上の値であるとする。Ｒ値、Ｇ値、Ｂ値、輝度値Ｙ、等の階調値のビット数は特に限定されないが、本実施例では、これら階調値は８ビットの値（０〜２５５）である。式６によれば、非対象領域に対応する複数の階調値が共通の低下率（Ｋ（ε）／２５５）で低減される。
（Ｒｑｉ，Ｇｑｉ，Ｂｑｉ）＝（Ｒｐｉ，Ｇｐｉ，Ｂｐｉ）・・・（式４）
ε＝（ＷＯＳ−（ＷＳ−ＴＨＷ））／ＳＯ  ・・・（式５）
（Ｒｑｏ，Ｇｑｏ，Ｂｑｏ）＝（Ｒｐｏ×（Ｋ（ε）／２５５），
Ｇｐｏ×（Ｋ（ε）／２５５），
Ｂｐｏ×（Ｋ（ε）／２５５））
・・・（式６）
【００４６】
［表示］
本実施例に係る表示装置での表示の具体例について説明する。
【００４７】
図４（Ａ），４（Ｂ）は、入力画像データによって表された画像（入力画像）の一例を示す模式図である。図４（Ａ），４（Ｂ）では、背景４０１上に丸物体４０２が描かれており、丸物体４０２が表示される領域を含む対象領域４０３が指定されている。ここでは、対象領域４０３の輝度を高める指示をユーザが行う例を説明する。対象領域４０３の輝度を高める指示が行われると、当該指示に従って対象領域４０３の輝度が高められるように、入力画像データが更新される。図４（Ａ）は更新前の入力画像を示し、図４（Ｂ）は更新後の入力画像を示す。
【００４８】
図５は、表示装置で表示された画像（表示画像）の一例を示す模式図である。図５から、ユーザからの指示に従って対象領域４０３の輝度が図４（Ａ）の輝度から高められており、対象領域４０３の輝度が図４（Ｂ）の輝度と等しいことがわかる。そして、総消費電力ＷＳが閾値ＴＨＷ以下になるように対象領域４０３以外の領域の輝度が図４（Ａ），４（Ｂ）の輝度から低減されていることもわかる。
【００４９】
以上述べたように、本実施例によれば、表示部の消費電力が所定の消費電力以下になるように、対象領域の表示輝度範囲の上限値よりも、非対象領域の表示輝度範囲の上限値を低くする制御が行われる。それにより、消費電力を低減し、且つ、ユーザにとってより好適な画像を表示することができる。具体的には、対象領域の画質調整（輝度調整など）において、意図通りの調整結果を得ることができる。
【００５０】
平均輝度値ＹＡＧに応じて消費電力ＷＩ，ＷＯを決定する例を説明したが、消費電力の決定方法は特に限定されない。平均輝度値ＹＡＧに応じて消費電力ＷＩ，ＷＯを決定する上記方法は、光源部の発光輝度が平均画素値に応じて制御されることに基づく方法である。消費電力を高精度に決定するために、光源部の発光輝度の制御方法に基づいて消費電力の決定方法を適宜決定することが好ましい。
【００５１】
非対象領域に対応する複数の階調値が共通の係数（低下率）で補正される例を説明したが、総消費電力ＷＳが閾値ＴＨＷ以下になれば、非対象領域に対応する階調値の低減方法は特に限定されない。非対象領域に対応する複数の階調値の間で低下率が共通していなくてもよい。非対象領域に対応する複数の階調値のうち、総消費電力ＷＳが閾値ＴＨＷ以下になる階調値Ｋ（ε）よりも大きい階調値が、階調値Ｋ（ε）以下の階調値に低減されてもよい。具体的には、非対象領域に対応する複数の階調値のうち、階調値Ｋ（ε）よりも大きい階調値が階調値Ｋ（ε）に置き換えられてもよい。この方法によれば、輝度が低減される領域のサイズを低減することができる。さらに、画像処理前の階調値が階調値Ｋ（ε）以下である領域における視認性の変化を無くすことができる。
【００５２】
＜実施例２＞
以下、本発明の実施例２について説明する。実施例１では、非対象領域の輝度を低減する例を説明した。しかしながら、対象領域が大きい場合には、非対象領域の輝度を低減しても表示部の消費電力が閾値未満にならないことがある。本実施例では、このような課題を解決できる例を説明する。なお、以下では、実施例１と異なる点（構成や処理）について詳しく説明し、実施例１と同じ点についての説明は省略する。
【００５３】
［表示装置の構成］
図６は、本実施例に係る表示装置の構成例を示すブロック図である。図６において、実施例１（図１）と同じ機能部には、実施例１と同じ符号が付されている。
【００５４】
画像処理部６０１は、実施例１の画像処理部１０７と同様の処理を行う。さらに、画像処理部６０１は、対象領域の一部の表示輝度範囲の上限値を、対象領域の他の部分の表示輝度範囲の上限値よりも低くする制御を行う。この制御は、非対象領域の輝度（画素値）
を低減しても発光部２０の消費電力が閾値以下にならない場合に、当該消費電力を閾値以下にするために行われる。対象領域の中央部分は、対象領域の縁部分に比べ、ユーザの注目度や関心度が高いことが多い。そのため、本実施例では、画像処理部６０１は、対象領域の縁部分の表示輝度範囲の上限値を、対象領域の中央部分の表示輝度範囲の上限値よりも低くする制御を行う。具体的には、画像処理部６０１は、対象領域の中央部分の輝度（画素値）が変更されずに上記消費電力が閾値以下になるように、対象領域の縁部分の輝度（画素値）を低減する。対象領域の縁部分は、例えば、対象領域の縁から所定画素数分の領域である。
【００５５】
例えば、対象領域が複数のＢＬ制御領域にわたって設定されている場合、対象領域の縁部分に対応するＢＬ制御領域に表示される入力画像データの部分の画素値を、対象領域の他のＢＬ制御領域に表示される入力画像データの部分よりも低減する。これにより、対象領域の消費電力を低減して、表示装置全体の消費電力を低減する。
【００５６】
［画像処理部６０１の処理］
画像処理部６０１の処理の具体例について説明する。ここでは、画像処理前の複数のＲＧＢ値（Ｒ値，Ｇ値，Ｂ値）のうち、対象領域に対応するＲＧＢ値を「ＲＧＢ値（Ｒｐｉ，Ｇｐｉ，Ｂｐｉ）」と記載し、非対象領域に対応するＲＧＢ値を「ＲＧＢ値（Ｒｐｏ，Ｇｐｏ，Ｂｐｏ）」と記載する。そして、画像処理後の複数のＲＧＢ値のうち、対象領域に対応するＲＧＢ値を「ＲＧＢ値（Ｒｑｉ，Ｇｑｉ，Ｂｑｉ）」と記載し、非対象領域に対応するＲＧＢ値を「ＲＧＢ値（Ｒｑｏ，Ｇｑｏ，Ｂｑｏ）」と記載する。また、対象領域に対応する光源部の数を「ＳＩ」と記載し、非対象領域に対応する光源部の数を「ＳＯ」と記載する。そして、消費電力の閾値を「ＴＨＷ」と記載する。
【００５７】
（ステップ４−１）
画像処理部６０１は、電力情報ＷＩＳと電力情報ＷＯＳの和を、発光部２０が有する全ての光源部の総消費電力ＷＳとして算出する。
【００５８】
（ステップ４−２）
ステップ４−１で算出された総消費電力ＷＳが閾値ＴＨＷ以下である場合には、画像処理部６０１は、実施例１の画像処理部１０７と同様に、式２，３に従って、画像処理後のＲＧＢ値を算出する。
【００５９】
ＷＳ＞ＴＨＷかつ（ＷＳ−ＴＨＷ）≦ＷＯＳの場合には、画像処理部６０１は、実施例１で述べた式４〜６に従って、画像処理後のＲＧＢ値を算出する。
【００６０】
ＷＳ＞ＴＨＷかつ（ＷＳ−ＴＨＷ）＞ＷＯＳの場合には、画像処理部６０１は、以下の式７〜１０に従って、画像処理後のＲＧＢ値を算出する。値ＢＩは、小数点以下を切り上げた整数値である。式７〜１０によれば、非対象領域に対応する全てのＢＬ制御領域と、対象領域の縁部分に対応するＢＩ個のＢＬ制御領域とについて、光源部が消灯する。或る領域に対応するＢＬ制御領域は、当該領域の少なくとも一部を含むＢＬ制御領域、当該領域のみを含むＢＬ制御領域、等である。
（Ｒｑｏ，Ｇｑｏ，Ｂｑｏ）＝（０，０，０）  ・・・（式７）
ＢＩ＝（ＷＩＳ−ＴＨＷ）／（ＷＩＳ／ＳＩ）  ・・・（式８）
対象領域の縁部分に対応するＢＩ個のＢＬ制御領域について：
（Ｒｑｉ，Ｇｑｉ，Ｂｑｉ）＝（０，０，０）・・・（式９）
対象領域に対応する他のＢＬ制御領域について：
（Ｒｑｉ，Ｇｑｉ，Ｂｑｉ）＝（Ｒｐｉ，Ｇｐｉ，Ｂｐｉ）・・・（式１０）
【００６１】
［表示］
本実施例に係る表示装置での表示の具体例について説明する。図７は、入力画像の一例を示す模式図である。図７では、背景７０１上に丸物体７０２が描かれており、丸物体７０２が表示される領域を含む対象領域７０３が指定されている。図８は、表示画像の一例を示す模式図である。図８から、対象領域７０３の中央部分の輝度が図７の輝度と等しく、丸物体７０２の輝度が図７と等しいことがわかる。そして、総消費電力ＷＳが閾値ＴＨＷ以下になるように上記中央部分以外の領域の輝度が図７の輝度から低減されていることもわかる。
【００６２】
以上述べたように、本実施例によれば、非対象領域の輝度を低減しても表示部の消費電力が閾値以下にならない場合に、当該消費電力が閾値未満になるように、対象領域の一部の表示輝度範囲の上限値がさらに低減される。それにより、表示部の消費電力をより確実に閾値未満に低減することができ且つ実施例１よりも好適な画像を表示することができる。具体的には、対象領域の画質調整において、対象領域の少なくとも一部で意図通りの調整結果が得られる。そのため、ユーザは、意図通りの画質調整の指示を行ないやすい。
【００６３】
ＷＳ＞ＴＨＷかつ（ＷＳ−ＴＨＷ）＞ＷＯＳの場合に非対象領域に対応する光源部と、対象領域の縁部分に対応する光源部とが消灯する例を説明したが、総消費電力ＷＳが閾値ＴＨＷ以下になれば、それらの光源部は発光してもよい。それにより、対象領域の中央部分以外の領域における表示画像の視認性を向上することができる。
【００６４】
＜実施例３＞
以下、本発明の実施例３について説明する。実施例１では、対象領域（対象領域の位置とサイズ）がユーザによって指定される例を説明した。本実施例では、画面のサイズに対する対象領域のサイズの比率がユーザによって指定される例を説明する。なお、以下では、実施例１と異なる点（構成や処理）について詳しく説明し、実施例１と同じ点についての説明は省略する。
【００６５】
［表示装置の構成］
図９は、本実施例に係る表示装置の構成例を示すブロック図である。図９において、実施例１（図１）と同じ機能部には、実施例１と同じ符号が付されている。
【００６６】
本実施例では、画面のサイズに対する対象領域のサイズの比率のみがユーザによって指定され、当該比率のみを示す領域情報が表示装置に入力される。なお、画面のサイズに対する非対象領域のサイズの比率のみがユーザによって指定されてもよいし、上記２つの比率の両方がユーザによって指定されてもよい。画面のサイズに対する非対象領域のサイズの比率のみを示す領域情報が表示装置に入力されてもよいし、上記２つの比率の両方を示す領域情報が表示装置に入力されてもよい。
【００６７】
領域設定部９０１は、領域情報（画面のサイズに対する対象領域のサイズの比率）と入力画像データとに基づいて、対象領域を、領域内電力算出部１０５、領域外電力算出部１０６、及び、画像処理部１０７に対して設定する。なお、領域設定部９０１は、対象領域のみを設定してもよいし、非対象領域のみを設定してもよいし、対象領域と非対象領域の両方を設定してもよい。
【００６８】
本実施例では、領域設定部９０１は、画素値変換部１０４から出力された各輝度値Ｙと、メモリ１０３に記録されたテーブルデータとに基づいて、領域情報を変換する。具体的には、領域設定部９０１は、画面のサイズに対する対象領域のサイズの比率を示す領域情報を、対象領域の位置とサイズを示す領域情報（実施例１の領域情報と同様の領域情報）
に変換する。そして、領域設定部９０１は、変換後の領域情報を、領域内電力算出部１０５、領域外電力算出部１０６、及び、画像処理部１０７へ出力する。なお、対象領域の設定方法は上記方法（領域情報の変換および出力）に限られない。
【００６９】
［領域設定部９０１の処理］
領域設定部９０１の処理の具体例について説明する。
【００７０】
（ステップ５−１）
領域設定部９０１は、画素値変換部１０４から出力された各輝度値Ｙに基づいて、ＢＬ制御領域（分割領域）の平均輝度値ＹＡＧを算出する。そして、領域設定部９０１は、メモリ１０３に記録されたテーブルデータから、算出した平均輝度値ＹＡＧに対応する消費電力Ｗを取得する。ステップ５−１の処理は、各ＢＬ制御領域について行われる。
【００７１】
（ステップ５−２）
領域設定部９０１は、画面のサイズに対する対象領域のサイズの比率を示す領域情報（入力領域情報）に基づいて、対象領域として選択されるＢＬ制御領域の数ＢＭを決定する。具体的には、領域設定部９０１は、以下の式１１に示すように、ＢＬ制御領域の総数に上記比率（０以上かつ１以下の値）を乗算することにより、数ＢＭを得る（算出する）。なお、入力領域情報によって示された値が、０以上かつ１以下の上記比率を１００倍した値（％）である場合には、式１１の右辺が１００で除算される。
ＢＭ＝（全てのＢＬ制御領域の数）×（入力領域情報の値）・・・（式１１）
【００７２】
（ステップ５−３）
領域設定部９０１は、ステップ５−１で取得した消費電力Ｗが最も大きいＢＬ制御領域から順に、ステップ５−２で決定した数ＢＭのＢＬ制御領域を、対象領域として選択する。
【００７３】
（ステップ５−４）
領域設定部９０１は、ステップ５−３で選択したＢＬ制御領域（数ＢＭのＢＬ制御領域）の位置とサイズを示す情報を、変換後の領域情報として生成する。そして、領域設定部９０１は、変換後の領域情報を、領域内電力算出部１０５、領域外電力算出部１０６、及び、画像処理部１０７へ出力する。
【００７４】
ステップ５−１〜５−４の処理によれば、画面を構成する複数の分割領域（ＢＬ制御領域）のうち、入力画像データの階調値が大きい分割領域が優先的に対象領域として設定されるように、数ＢＭの分割領域が対象領域として設定される。
【００７５】
［表示］
本実施例に係る表示装置での表示の具体例について説明する。図１０は、入力画像の入り例を示す模式図である。図１０では、背景１００１上に複数の丸物体１００２が描かれている。丸物体１００２の輝度値Ｙ（階調値）は、背景１００１の輝度値Ｙよりも高い。図１０において、入力画像を破線で分割することによって得られる複数の領域は複数のＢＬ制御領域（複数の分割領域）にそれぞれ対応する。
【００７６】
図１１は、表示画像の一例を示す模式図である。ここでは、画面のサイズに対する対象領域のサイズの比率として２５％が指定されたとする。その場合には、上記方法により、複数の丸物体１００２にそれぞれ対応する複数のＢＬ制御領域のそれぞれが、対象領域として設定される。その結果、図１１に示すように、丸物体１００２（およびその周辺）が
図１０の輝度と同じ輝度で表示される。そして、総消費電力ＷＳが閾値ＴＨＷ未満になるように、他の領域の輝度が図１０の輝度から低減される。
【００７７】
以上述べたように、本実施例によれば、画面のサイズに対する対象領域のサイズの比率がユーザによって指定され、当該比率に基づいて対象領域が設定される。そして、表示部の消費電力が所定の消費電力以下になるように、対象領域の表示輝度範囲の上限値よりも、非対象領域の表示輝度範囲の上限値を低くする制御が行われる。それにより、上記比率に対応する領域について常に意図通りの調整結果が得られるため、ユーザは、意図通りの画質調整の指示を行ないやすい。例えば、ユーザは、入力画像を変更する度に対象領域を指定することなく、意図通りの調整結果を確認することができる。本実施例は、夜空に散らばった多数の明るい物体（星など）の画質調整に対して好適である。
【００７８】
＜実施例４＞
以下、本発明の実施例４について説明する。実施例１では、発光部と透過型の表示パネルを有する表示装置（液晶表示装置など）の例を説明した。本実施例では、自発光型の表示パネルを有する表示装置の例を説明する。なお、以下では、実施例１と異なる点（構成や処理）について詳しく説明し、実施例１と同じ点についての説明は省略する。
【００７９】
［表示装置の構成］
図１２は、本実施例に係る表示装置の構成例を示すブロック図である。図１２において、実施例１（図１）と同じ機能部には、実施例１と同じ符号が付されている。
【００８０】
表示パネル１２０１は、ローディング制御部１２０２から出力された画像データに応じて発光することにより画面に画像を表示する自発光型の表示パネルである。例えば、表示パネル１２０１は、有機ＥＬ表示パネル、プラズマ表示パネル、等である。
【００８１】
ローディング制御部１２０２は、画像処理部１０７から出力された補正画像データに基づく画像データを、表示パネル１２０１へ出力する。そのため、本実施例でも、実施例１と同様に、補正画像データに基づいて表示部が制御される。実施例１では発光部２０が制御されるが、本実施例では表示パネル１２０１が制御される。例えば、補正画像データに応じた表示において表示パネル１２０１の消費電力が閾値以下になる場合には、ローディング制御部１２０２は、補正画像データを表示パネル１２０１へ出力する。補正画像データに応じた表示において表示パネル１２０１の消費電力が閾値を超える場合には、ローディング制御部１２０２は、表示パネル１２０１の消費電力が閾値以下になるように、補正画像データの輝度を低減する。そして、ローディング制御部１２０２は、輝度が低減された後の画像データを表示パネル１２０１へ出力する。
【００８２】
具体的には、ローディング制御部１２０２は、画像処理部１０７から出力された補正画像データに対して、補正画像データの平均階調値（階調値の平均値）に応じて全ての階調値（画像全体の輝度）を低減する処理を施す。そして、ローディング制御部１２０２は、処理が施された後の画像データを表示パネル１２０１へ出力する。
【００８３】
本実施例のメモリ１０３は、実施例１のメモリ１０３と同様に、テーブルデータを記憶する。但し、本実施例のテーブルデータは、表示素子の発光輝度と表示素子の消費電力との対応関係を示す。具体的には、本実施例のテーブルデータは、入力画像データの輝度値Ｙと表示素子の消費電力との対応関係を示す。
【００８４】
［領域内電力算出部１０５の処理］
本実施例の領域内電力算出部１０５の処理の具体例について説明する。本実施例の領域内電力算出部１０５は、実施例１の領域内電力算出部１０５と同様に、総消費電力ＷＩＳ
を算出して出力する。但し、本実施例の総消費電力ＷＩＳは、対象領域に対応する全ての表示素子の総消費電力である。
【００８５】
（ステップ６−１）
領域内電力算出部１０５は、領域情報に基づいて、対象領域に対応する表示素子を判断（特定）する。対象領域に対応する表示素子は、「対象領域に配置された表示素子」とも言える。なお、ステップ６−１では、領域情報に基づいて、対象領域に対応する画素（入力画像データの画素）が判断されてもよい。対象領域に対応する画素は、「対象領域に表示される画素」、「対象領域に対応する表示素子によって表示される画素」、等とも言える。
【００８６】
（ステップ６−２）
領域内電力算出部１０５は、画素値変換部１０４から出力された複数の輝度値Ｙから、ステップ６−１で特定した表示素子に対応する画素の輝度値Ｙを抽出する。ステップ６−１で複数の表示素子が特定された場合には、特定された複数の表示素子にそれぞれ対応する複数の輝度値Ｙが抽出される。
【００８７】
（ステップ６−３）
領域内電力算出部１０５は、メモリ１０３に記録されたテーブルデータから、ステップ６−２で抽出した輝度値Ｙに対応する消費電力ＷＩを取得する。ステップ６−２で複数の輝度値Ｙが抽出された場合には、抽出された複数の輝度値Ｙにそれぞれ対応する複数の消費電力ＷＩが取得される。
【００８８】
（ステップ６−４）
領域内電力算出部１０５は、ステップ６−３で取得した全ての消費電力ＷＩの総和を、総消費電力ＷＩＳとして算出し、総消費電力ＷＩＳを画像処理部１０７へ出力する。
【００８９】
［領域外電力算出部１０６の処理］
本実施例の領域外電力算出部１０６の処理の具体例について説明する。本実施例の領域外電力算出部１０６は、実施例１の領域外電力算出部１０６と同様に、総消費電力ＷＯＳを算出して出力する。但し、本実施例の総消費電力ＷＯＳは、非対象領域に対応する全ての表示素子の総消費電力である。
【００９０】
（ステップ７−１）
領域外電力算出部１０６は、領域情報に基づいて、非対象領域に対応する表示素子を判断（特定）する。非対象領域に対応する表示素子は、「非対象領域に配置された表示素子」とも言える。なお、ステップ７−１では、領域情報に基づいて、非対象領域に対応する画素（入力画像データの画素）が判断されてもよい。非対象領域に対応する画素は、「非対象領域に表示される画素」、「非対象領域に対応する表示素子によって表示される画素」、等とも言える。
【００９１】
（ステップ７−２）
領域外電力算出部１０６は、画素値変換部１０４から出力された複数の輝度値Ｙから、ステップ７−１で特定した表示素子に対応する画素の輝度値Ｙを抽出する。ステップ７−１で複数の表示素子が特定された場合には、特定された複数の表示素子にそれぞれ対応する複数の輝度値Ｙが抽出される。
【００９２】
（ステップ７−３）
領域外電力算出部１０６は、メモリ１０３に記録されたテーブルデータから、ステップ７−２で抽出した輝度値Ｙに対応する消費電力ＷＯを取得する。ステップ７−２で複数の
輝度値Ｙが抽出された場合には、抽出された複数の輝度値Ｙにそれぞれ対応する複数の消費電力ＷＯが取得される。
【００９３】
（ステップ７−４）
領域外電力算出部１０６は、ステップ７−３で取得した全ての消費電力ＷＯの総和を、総消費電力ＷＯＳとして算出し、総消費電力ＷＯＳを画像処理部１０７へ出力する。
【００９４】
［画像処理部１０７の処理］
本実施例の画像処理部１０７は、実施例１の領域外電力算出部１０６と同様に、総消費電力ＷＩＳ，ＷＯＳと、メモリ１０３に記録されたテーブルデータとに基づく画像処理（非対象領域に対応する画素値の低減）を、入力画像データに施す。そして、本実施例の画像処理部１０７は、画像処理が施された後の画像データを、ローディング制御部１２０２へ出力する。但し、本実施例では、数ＳＩは、対象領域に対応する表示素子の数であり、数ＳＯは、非対象領域に対応する表示素子の数である。総消費電力ＷＳは、表示パネル１２０１が有する全ての表示素子の総消費電力である。そして、値Ｋ（ε）は、メモリ１０３に記録されたテーブルデータにおいて消費電力ε未満の消費電力に対応付けられた輝度値Ｙの最大値である。
【００９５】
以上述べたように、本実施例によれば、自発光型の表示パネルを有する表示装置において、実施例１の処理と同様の処理が行われる。具体的には、表示部の消費電力が所定の消費電力以下になるように、対象領域の表示輝度範囲の上限値よりも、非対象領域の表示輝度範囲の上限値を低くする制御が行われる。それにより、表示部の消費電力を閾値未満に低減することができ且つユーザにとってより好適な画像を表示することができる。
【００９６】
自発光型の表示パネルを有する表示装置に対して実施例１の処理を適用する例を説明したが、自発光型の表示パネルを有する表示装置に対して実施例２，３の処理を適用してもよい。
【００９７】
＜実施例５＞
実施例５の表示装置は、個別に発光が可能な複数の光源を備えるバックライトユニットから照射された光を画像データに基づいて表示パネルが透過して画像を表示する透過型の表示装置である。
【００９８】
図１３は、表示装置の機能ブロックを示すブロック図である。表示装置は、表示パネル１０、発光部２０、および制御部５００を備える。制御部５００は、入力部５０１、輝度設定部５０２、領域設定部５０３、消費電力推定部５０４、輝度決定部５０５、補正部５０６、表示制御部５０７、輝度制御部５０８を備える。
【００９９】
制御部５００は、画像データに基づいて各光源の発光輝度を設定し、設定された発光輝度で発光部を駆動した場合に、発光部の消費電力が所定の閾値よりも高くなるか否かを判定する。また、制御部５００は、設定された発光輝度で発光部を駆動することで発光部の消費電力が所定の閾値よりも高くなる場合に、設定された発光輝度を低減する輝度補正処理を実行して、各光源を制御するために用いる発光輝度を決定する。制御部５００は、表示パネル１０の画面のうち、対象領域を設定する。制御部５００は、輝度補正処理を実行する場合に、対象領域に対応する光源を当該輝度補正処理の対象としない。
【０１００】
入力部５０１は、画像データを入力するインターフェースである。画像データは、マトリクス状に配置された複数の画素のそれぞれに対し、赤、緑、青（Ｒ，Ｇ，Ｂ）の３色のそれぞれの階調値（階調レベル）が指定されたデータであるとする。なお、階調値が指定される色は、上述の色に限らない。階調値が指定される色の数は、３に限らない。入力部
５０１は、画像データを輝度設定部５０２および補正部５０６に出力する。
【０１０１】
輝度設定部５０２は、発光部２０の各光源（各光源部）に対応する画像データの輝度レベルに基づいて、各光源の発光輝度ｐ（ｘ，ｙ）を設定する。ここで、（ｘ，ｙ）は、発光部２０における各光源の座標を示す。光源に印加する電流をパルス幅制御することにより、各光源の発光を制御するとする。この場合、発光輝度ｐは、所定の制御期間における点灯期間の比率（デューティ比）をその最大値が１となるように正規化した値であるとする。所定の制御期間は、表示装置が画像を表示するフレーム期間であってもよいし、フレーム期間を分割したサブフレーム期間であってもよい。
【０１０２】
なお、発光輝度ｐは、光源の発光輝度に対応するパラメータであればよい。例えば、発光輝度ｐは、各光源の発光輝度の絶対値をｎｉｔやｃｄ／ｍ２の単位系で示してもよい。また、発光輝度ｐは、各光源の発光輝度を、設定された最大発光輝度に対する相対値で示した値であってもよい。また、発光輝度ｐは、各光源の駆動電力を示す値であってもよい。
【０１０３】
輝度設定部５０２は、各光源に対応する表示パネル１０の領域に表示される画像データの部分の輝度レベルに応じて、発光輝度ｐを設定する。輝度レベルは、例えば、画像データのＲ，Ｇ，Ｂそれぞれの階調値や、Ｒ，Ｇ，Ｂそれぞれの階調値から取得した輝度値Ｙである。輝度設定部５０２は、各光源に対応する表示パネル１０の領域に表示される画像データの部分の輝度レベルの最大値に基づいて、対応する光源の発光輝度ｐを設定する。
【０１０４】
図１４（Ａ），１４（Ｂ）は、入力された画像データと、画像データに基づいて設定された各光源の発光輝度とを示す模式図である。図１４（Ａ）は、画像データを示す模式図である。図中の破線は、発光部２０の光源と画像データとの対応関係を示すための破線であり、画像データに描かれた破線ではない。画像データは、低輝度レベルの背景画像上に、高輝度レベルのオブジェクトＡ，Ｂが配置された画像を示すデータである。発光部２０は、水平方向に８個、および垂直方向に６個でマトリクス状に配置された複数の光源を有するとする。
【０１０５】
図１４（Ｂ）は、画像データに基づいて設定された各光源の発光輝度ｐを示す模式図である。数値は、ＰＷＭのデューティ比を示す。輝度設定部５０２は、対応する領域に高輝度レベルのオブジェクトＡ，Ｂのいずれかを含む光源の発光輝度を１とする。また、対応する領域に低輝度レベルの背景画像のみを含む光源の発光輝度を０．３とする。
【０１０６】
輝度設定部５０２は、設定した各光源の発光輝度ｐを示す情報を、消費電力推定部５０４、輝度決定部５０５、および補正部５０６に出力する。
【０１０７】
領域設定部５０３は、領域設定指示に応じて、表示パネル１０の画面のうち、消費電力に基づく発光輝度の補正処理（後述）の対象外とする指定領域を設定する。指定領域では、発光輝度の補正処理を行わないことから、画像データが変化したことによって表示輝度が変動することを抑制することが可能となる。したがって、ユーザが注目したい領域や、表示輝度が変動することによる影響が大きいと思われる領域を予め指定することによって、補正処理による影響を低減することが可能となる。
【０１０８】
領域設定指示は、ユーザが画面に表示されるＧＵＩを操作して指定することにより入力されるとする。また、領域設定部５０３は、画像データを取得し、画像データのうち、所定の条件を満たす領域を指定領域とすることもできる。例えば、領域設定部５０３は、画像データの平均的な輝度レベルが所定の輝度レベル以上の領域を、指定領域としてもよい。また、領域設定部５０３は、画像データのうち、所定の輝度レベル以上の輝度レベルの
画素を、所定数以上有する領域を指定領域としてもよい。
【０１０９】
領域設定部５０３は、指定領域に対応する光源を特定する。図１５（Ａ）〜１５（Ｃ）は、表示パネル１０の画面における指定領域と、発光部２０における、指定領域に対応する光源（指定光源）とを示す模式図である。図１５（Ａ）は、表示パネル１０の画面における指定領域を示す模式図である。例えば、ユーザは、画像データに基づいて画面に表示された画像を確認しながらＧＵＩを操作して、オブジェクトＢを含む領域Ｒａを指定領域として指定するように指示したとする。
【０１１０】
図１５（Ｂ）は、指定領域Ｒａに対応する指定光源Ｘａを示す模式図である。指定領域Ｒａは、必ずしも発光部２０の光源領域（光源に対応する領域）に適合するように指定されるとは限らない。領域設定部５０３は、光源領域の少なくとも一部が指定領域Ｒａの少なくとも一部である光源を指定光源として決定するとする。なお、領域設定部５０３は、光源領域のすべてが指定領域Ｒａの少なくとも一部である光源のみを指定光源としてもよい。図１５（Ｃ）は、光源領域のすべてが指定領域Ｒａの少なくとも一部である光源を指定光源とした場合の、指定領域Ｒａに対応する指定光源Ｘａを示す模式図である。この場合、消費電力に基づいて発光輝度を補正する光源（指定光源でない光源）の数が増えることから、補正処理による指定光源以外の光源の発光輝度の低下を抑制することが可能となる。換言すれば、１光源あたりの発光輝度の低下量を小さくすることが可能となる。
【０１１１】
領域設定部５０３は、指定光源がいずれであるかを示す情報を、消費電力推定部５０４および輝度決定部５０５に出力する。
【０１１２】
消費電力推定部５０４は、輝度設定部５０２により設定された発光輝度で各光源が制御された場合の、指定領域に対応する指定光源の消費電力ＷＩＳと、指定領域以外の領域に対応する光源の消費電力ＷＯＳとを推定する。消費電力推定部５０４は、消費電力ＷＩＳと消費電力ＷＯＳとの和が閾値Ｔｈよりも大きくなるか否かを判定する。
【０１１３】
上述したように発光輝度ｐがデューティ比で示されているとする。デューティ比は、電流の印加時間に比例する値であり、光源の消費電力に対応する値である。本実施例では、消費電力推定部５０４は、発光輝度ｐ（デューティ比）の和が予めデューティ比で示した閾値Ｔｈより大きいか否かに基づいて、消費電力ＷＩＳと消費電力ＷＯＳとの和が閾値Ｔｈよりも大きくなるか否かを判定する。
【０１１４】
ここで、指定光源に設定された発光輝度を発光輝度ｐｉとする。また、指定光源でない光源に設定された発光輝度を発光輝度ｐｏとする。消費電力ＷＩＳと消費電力ＷＯＳとはそれぞれ下記の式１２−１，１２−２で求められる。
【数１】
2019215507.tif 000003
【０１１５】
消費電力ＷＩＳと消費電力ＷＯＳとの和が閾値Ｔｈより大きいと判定された場合、消費電力推定部５０４は、消費電力ＷＩＳと消費電力ＷＯＳと閾値Ｔｈとに基づいて、指定光源でない光源の発光輝度の補正に用いる係数αを算出する。係数αは、指定光源を設定された発光輝度で制御し、かつ、指定光源でない光源を補正後の発光輝度で制御した場合に、発光部２０の消費電力が閾値Ｔｈ以下になるように設定される。例えば、発光部２０の
消費電力（デューティ比の合計値）が閾値Ｔｈと同等になるように係数αを決定する場合、係数αは下記の式１３で求められる。
α＝（Ｔｈ−ＷＩＳ）／ＷＯＳ  ・・・（式１３）
【０１１６】
輝度設定部５０２が図１４（Ｂ）に示したように各光源の発光輝度を設定し、閾値Ｔｈを１５とした場合、消費電力ＷＩＳと消費電力ＷＯＳとの和が閾値Ｔｈより大きいと判定される。そして、係数αは０．５１（≒（１５．０−７．６）／１４．５）と算出される。
【０１１７】
消費電力推定部５０４は、消費電力ＷＩＳと消費電力ＷＯＳとの和が閾値Ｔｈよりも大きくなるか否かを示す判定結果を輝度決定部５０５に出力する。また、消費電力推定部５０４は、消費電力ＷＩＳと消費電力ＷＯＳとの和が閾値Ｔｈよりも大きくなると判定した場合、算出した係数αを輝度決定部５０５に出力する。
【０１１８】
輝度決定部５０５は、消費電力推定部５０４から取得した判定結果、および係数αに基づいて、設定された各光源の発光輝度を補正して、発光部２０を制御するための発光輝度を決定する。輝度決定部５０５は、消費電力推定部５０４が消費電力ＷＩＳと消費電力ＷＯＳとの和が閾値Ｔｈ以下であると判定した場合、輝度設定部５０２から取得した各光源の発光輝度を輝度制御部５０８に出力する。
【０１１９】
また、輝度決定部５０５は、消費電力推定部５０４が消費電力ＷＩＳと消費電力ＷＯＳとの和が閾値Ｔｈより大きいと判定した場合、輝度設定部５０２から取得した各光源の発光輝度のうち、指定光源でない光源の発光輝度を、係数αを用いて補正する。
【０１２０】
図１６は、輝度決定部５０５が補正した後の各光源の発光輝度を示す模式図である。図１４（Ｂ）に示した発光輝度と比較して、指定光源Ｘａ以外の光源の発光輝度が低減する。具体的には、指定光源Ｘａ以外の光源で、発光輝度（デューティ比）が１で設定された光源の発光輝度は０．５１に補正され、発光輝度（デューティ比）が０．３で設定された光源の発光輝度は０．１５に補正される。一方で、指定光源Ｘａの発光輝度は輝度設定部５０２で設定された値から変化しない。この時、輝度決定部５０５が決定した発光輝度に基づいて、消費電力の総量を算出すると、消費電力の総量は閾値Ｔｈ以下となる。
【０１２１】
輝度制御部５０８は、輝度決定部５０５が決定した各光源の発光輝度を用いて、各光源の輝度を制御する。発光輝度がデューティ比で示されている場合、輝度制御部５０８は、発光輝度を示すデューティ比で各光源をＰＷＭ駆動により制御する。
【０１２２】
補正部５０６は、取得した各光源の発光輝度（輝度設定部５０２により設定された発光輝度）に基づいて、画像データを補正する。補正部５０６は、各光源に設定された発光輝度で発光部２０が発光した場合に表示パネル１０に照射される光の強度分布を推定する。補正部５０６は、或る光源が発光した場合に表示パネル１０に照射される光の分布を示す分布関数を、メモリから取得する。補正部５０６は、各光源の発光輝度と分布関数とを用いて、各光源から照射された光が表示パネル２０の裏面で組み合わさって形成される光の強度分布を推定する。なお、補正部５０６は、輝度設定部５０２により設定された発光輝度の代わりに、輝度決定部５０５により決定された発光輝度を使用してもよい。
【０１２３】
補正部５０６は、画像データの画素値を、その画素に対応する表示パネル１０の位置に照射される光の強度で除算して、補正後の画素値を取得する、という処理を画像データの各画素について行う。発光部２０の各光源が所定のデューティ比で駆動した場合に表示パ
ネル１０の裏面に照射される光の輝度（強度）を基準強度Ｌｔとする。画素（ｘ，ｙ）に対応する表示パネル１０の位置（ｘ，ｙ）に照射される光の強度をＬ（ｘ，ｙ）とする。補正部５０６は、表示パネル１０の位置（ｘ，ｙ）に対応する画像データの画素値にＬｔ／Ｌ（ｘ，ｙ）を乗算して、補正後の画素値とする。輝度設定部５０２で画像データに基づいて設定された各光源の発光輝度で駆動した場合に照射される光の強度が基準強度Ｌｔから低減するとする。補正部５０６は、この低減の影響を抑制するために画像データを補正する。補正部５０６は、補正した画像データを表示制御部５０７に出力する。
【０１２４】
表示制御部５０７は、補正部５０６から取得した画像データに基づいて、表示パネル１０の透過率を制御する。補正部５０６で、発光部２０の各光源の発光輝度に基づいて画像データを補正することにより、補正前の画像データの画素値が等しい複数の領域に対応する複数の光源を異なる発光輝度で制御しても、それらの領域に表示される輝度は実質的に同程度となる。
【０１２５】
図１７は、本実施例における発光輝度の制御フローを示す模式図である。
【０１２６】
まず、ステップＳ１７０１にて、輝度設定部５０２は、発光部２０の各光源に対応する画像データの輝度レベルに基づいて、各光源の発光輝度ｐ（ｘ，ｙ）を設定する。ここでは、領域設定部５０３により指定領域が設定されているとする。そのため、ステップ１７０１の処理により、発光輝度ｐｉ（ｘ，ｙ）と発光輝度ｐｏ（ｘ，ｙ）が設定されることになる。
【０１２７】
次に、ステップＳ１７０２にて、消費電力推定部５０４は、ステップＳ１７０１で設定された発光輝度ｐｉ（ｘ，ｙ），ｐｏ（ｘ，ｙ）に基づいて、消費電力ＷＩＳ，ＷＯＳを算出する。消費電力ＷＩＳ，ＷＯＳは、上述した式１２−１，１２−２を用いて算出される。
【０１２８】
そして、ステップＳ１７０３にて、消費電力推定部５０４は、ステップＳ１７０２で算出した消費電力ＷＩＳ，ＷＯＳから、消費電力ＷＩＳと消費電力ＷＯＳとの和が閾値Ｔｈよりも大きくなるか否かを判定する。消費電力ＷＩＳと消費電力ＷＯＳとの和が閾値Ｔｈよりも大きくなると判定された場合にはステップＳ１７０４に処理が進められ、当該和が閾値Ｔｈ以下になると判定された場合にはステップＳ１７０６に処理が進められる。
【０１２９】
ステップＳ１７０４にて、消費電力推定部５０４は、ステップＳ１７０２で算出した消費電力ＷＩＳ，ＷＯＳと、閾値Ｔｈとに基づいて、係数αを算出する。係数αは、上述した式１３を用いて算出される。
【０１３０】
次に、ステップＳ１７０５にて、輝度決定部５０５は、指定光源でない光源に対してステップＳ１７０１で設定された発光輝度ｐｏ（ｘ，ｙ）を、ステップＳ１７０４で算出された係数αを乗算することにより、発光輝度ｐｏ’（ｘ，ｙ）に補正する。その後、ステップＳ１７０６に処理が進められる。
【０１３１】
ステップＳ１７０６にて、輝度制御部５０８は、輝度決定部５０５が決定した各光源の発光輝度を用いて、各光源の輝度を制御する。ステップＳ１７０３にて消費電力ＷＩＳと消費電力ＷＯＳとの和が閾値Ｔｈ以下になると判定された場合には、ステップＳ１７０１にて設定された各光源の発光輝度ｐ（ｘ，ｙ）と同じ発光輝度を用いて、各光源の輝度が制御される。ステップＳ１７０３にて消費電力ＷＩＳと消費電力ＷＯＳとの和が閾値Ｔｈよりも大きくなると判定された場合には、指定光源については、ステップＳ１７０１にて設定された発光輝度ｐｉ（ｘ，ｙ）と同じ発光輝度を用いて、輝度が制御される。指定光源でない光源については、ステップＳ１７０５にて得られた発光輝度ｐｏ’（ｘ，ｙ）を
用いて、輝度が制御される。
【０１３２】
図１８（Ａ），１８（Ｂ），１９は、本実施例の制御を行った場合の効果を示す模式図である。表示するための画像データは、図１４（Ａ）に示した画像データと同様であるとする。また、図１４（Ａ）の画像データに基づいて輝度設定部５０２が設定した各光源の発光輝度は、図１４（Ｂ）で示した発光輝度であるとする。閾値Ｔｈを１５とすると、設定された各光源の発光輝度で発光部２０を駆動した場合の総消費電力Ｗは、２２．１であり、閾値Ｔｈよりも大きい。
【０１３３】
本実施例の制御を行わない場合、発光部２０の消費電力を閾値Ｔｈ以下とするために、輝度設定部５０２で設定された各光源の発光輝度にＴｈ／Ｗを乗算した発光輝度で、各光源の発光が制御される。図１８（Ａ），１８（Ｂ）は、本実施例の制御を行わない場合の比較例を示す模式図である。図１８（Ａ）は、本実施例の制御を行わず、全ての光源を調整処理の対象とした場合に、各光源を制御するために用いられる発光輝度を示す模式図である。図１４（Ｂ）に示した設定された発光輝度から、全ての光源で、発光輝度が低下する。図１８（Ｂ）は、図１８（Ａ）に示した発光輝度で各光源を制御した場合に表示パネル１０に表示される画像を示す模式図である。画像データに基づいて設定された発光輝度に対して一律に低い発光輝度で制御されることから、表示される画像は、発光輝度の調整処理を行わない場合よりも、全体的に暗くなる。
【０１３４】
図１９は、本実施例の制御を行った場合に、表示パネル２０に表示される画像を示す模式図である。本実施例の制御を行った結果、指定光源Ｘａに対しては発光輝度の調整処理が実行されない。したがって、指定光源Ｘａに対応する領域（対象領域Ｒａ）では、設定された発光輝度ｐｉで発光部２０を制御した場合に表示される輝度と同等の輝度で画像が表示される。一方で、指定光源Ｘａでない光源は、設定された発光輝度ｐｏよりも低い発光輝度ｐｏ’で制御される。したがって、指定光源Ｘａでない光源に対応する領域では、設定された発光輝度ｐｏで発光部２０を制御した場合に表示される輝度よりも低い輝度で画像が表示される。
【０１３５】
光源に対する発光輝度の調整処理は、当該光源に対応する領域の表示輝度の上限値を制御する処理である。消費電力に基づいて光源の発光輝度の調整処理（低減処理）を実行することにより、当該光源に対応する領域で表示可能な輝度の上限値が低下する。例えば、白領域を含む或る領域に対応する光源に、光源の取り得る最大のデューティ比に対応する発光輝度が設定されるとする。消費電力に基づく調整処理により光源の発光輝度が低減すると、白領域の表示輝度は低減する。白領域の表示輝度は、白領域を含む領域で表示可能な輝度の上限値に対応する。
【０１３６】
本実施例によれば、指定した領域（対象領域）に対応する光源（指定光源）を、消費電力に基づく調整処理の対象としないことにより、対象領域の表示輝度の変動を抑制することが可能となる。
【０１３７】
これにより、例えば、ユーザが画像データの編集作業を行っている場合に、予め注目箇所を含む領域を対象領域と指定しておくことにより、消費電力による表示輝度への影響を低減し、安定して作業することが可能となる。
【０１３８】
＜実施例６＞
実施例１〜５の表示装置では、入力された画像データの一部の領域を関心領域に指定し、指定した領域に対応するバックライトユニットの輝度を消費電力に基づく調整処理の対象としないよう制御した。また、自発光型の表示装置の場合には、領域に属する画素を消費電力に基づく調整処理の対象としないよう制御した。
【０１３９】
実施例６では、複数の画像データを１画面に表示する時に、ユーザが指定した画像データに対応する領域を消費電力に基づく調整処理の対象としないことにより、対象領域の表示輝度の変動を抑制する。
【０１４０】
図２０は、表示装置の機能ブロックを示すブロック図である。表示装置は、表示パネル１０、発光部２０、および制御部６００を備える。制御部６００は、第１入力部６０１、第２入力部６０２、画面合成部６０３、領域設定部６０４、輝度設定部５０２、消費電力推定部５０４、輝度決定部５０５、補正部５０６、表示制御部５０７、輝度制御部５０８を備える。なお、他の実施例で説明した機能については説明を省略する。
【０１４１】
制御部６００は、２種類の画像データを受信し、それらを合成した合成画像データに基づいて各光源の発光輝度を設定し、設定された発光輝度で発光部を駆動した場合に、発光部の消費電力が所定の閾値よりも高くなるか否かを判定する。また、制御部６００は、設定された発光輝度で発光部を駆動することで発光部の消費電力が所定の閾値よりも高くなる場合に、設定された発光輝度を低減する輝度補正処理を実行して、各光源を制御するために用いる発光輝度を決定する。制御部６００は、ユーザの操作に応じて、受信した複数の画像データのうち、少なくとも１つの画像データを、対象画像データとして選択する。そして、制御部６００は、表示パネル１０の画面のうち、指定画像データに対応する領域を、指定領域（対象領域）として設定する。制御部６００は、輝度補正処理を実行する場合に、指定領域に対応する光源を当該輝度補正処理の対象としない。
【０１４２】
第１入力部６０１と第２入力部６０２のそれぞれは、実施例５の入力部５０１と同様に、画像データを入力（受信）するインターフェースである。第１入力部６０１と第２入力部６０２のそれぞれは、入力した画像データを画面合成部６０３に出力する。
【０１４３】
画面合成部６０３は、第１入力部６０１により入力（受信）された画像（入力画像データ）と、第２入力部６０２により入力された画像（入力画像データ）とを合成することにより、合成画像（合成画像データ）を生成する。例えば、入力された２つの画像（入力画像データ）を表示パネル１０の１画面に収まるように配置して、合成画像を生成する。ここで、図２１（Ａ），２１（Ｂ）に示す画像が入力されたとする。図２１（Ａ），２１（Ｂ）は、例えば、同じビデオカメラで撮影された画像を示す。図２１（Ａ）はＳＤＲの規格で出力された画像を示し、図２１（Ｂ）はＨＤＲの規格で出力された画像を示す。ＳＤＲとはＳｔａｎｄａｒｄ  Ｄｙｎａｍｉｃ  Ｒａｎｇｅのことであり、例えば従来の放送規格ＩＴＵ−Ｒ  ＢＴ．７０９（ＩＴＵ：国際電気通信連合）で規定された画像データのダイナミックレンジである。ＨＤＲとはＨｉｇｈ  Ｄｙｎａｍｉｃ  Ｒａｎｇｅのことであり、ＳＤＲよりも広いダイナミックレンジである。各入力画像の画像サイズが表示パネル１０の画像サイズ（画面サイズ；表示サイズ）と同じ場合は、画像サイズの縮小処理を各入力画像に施して、図２１（Ｃ）に示すように２つの入力画像を１画面に収めた合成画像を生成する。画面合成部６０３は、合成画像を、補正部５０６と輝度設定部５０２へ出力する。
【０１４４】
領域設定部６０４は、領域設定部５０３と同様に指定領域に対応する光源を特定する。本実施例では、領域設定部６０４は、ユーザの操作に応じて、複数の入力画像データのうち、少なくとも１つの入力画像データを、指定画像データとして選択する。そして、領域設定部６０４は、画面合成部６０３により生成された合成画像データにおいて指定画像データが配置された画像領域を指定領域として計算し、指定領域に対応する光源（指定光源）を指定（特定）する。指定領域では発光輝度の補正処理を行わないことから、ユーザが基準として見る入力画像データ（指定画像データ）に対し、補正処理による影響を低減することが可能となる。ユーザの操作は、例えば、入力画像データを指定する操作であり、
物理的なスイッチや、画面に表示されるＧＵＩに対する操作である。ユーザの操作が行われない場合、２つの入力画像データのうち、あらかじめ定められた一方の画像データが指定画像データとして選択されてもよい。２つの入力画像データが、ＨＤＲの規格で出力された画像（ＨＤＲ画像データ）とＳＤＲの規格で出力された画像（ＳＤＲ画像データ）とである場合、ＳＤＲ画像データを指定画像データとすることを、ユーザが予め設定することも可能である。領域設定部６０４は、指定光源がいずれであるかを示す情報を、消費電力推定部５０４および輝度決定部５０５に出力する。
【０１４５】
本実施例によれば、指定した画像データの領域（対象領域；指定領域）に対応する光源（指定光源）を、消費電力に基づく調整処理の対象としないことにより、指定した画像データの表示輝度の変動を抑制することが可能となる。画像制作の現場などでは、ＳＤＲの画像とＨＤＲの画像とを同時に確認する際に、ＳＤＲの画像を基準としてＨＤＲ画像の調整を行うことがある。本実施例によれば、基準となるＳＤＲ画像に対し、消費電力による表示輝度への影響を低減することが可能となるので、安定して作業することが可能となる。
【０１４６】
なお、本実施例では、２入力の場合の例を説明したが、本実施例の上記機能（処理）は、４入力などの場合にも適用できる。つまり、入力部の数は２つより多くてもよいし、入力画像データの数は２つより多くてもよい。その場合、２つ以上の入力画像データを指定画像データ（輝度を固定したい入力画像データ）として選択してもよい。
【０１４７】
また、本実施例では合成画像に基づく消費電力推定を行った。しかしながら、指定画像（指定画像データ）でない入力画像の印象（表示輝度など）が、ローディング処理（消費電力に基づく調整処理）によって、当該入力画像のみを１画面に表示する場合の印象から大きくずれると、安定した編集作業が困難になることがある。例えば、図２１（Ｂ）の画像のみを１画面に表示する場合の当該画像の印象と、図２１（Ｃ）の合成画像を表示する場合の図２１（Ｂ）の画像の印象とが互いに大きく異なると、安定した編集作業が困難になることがある。そのため、指定画像でない入力画像のみを（全画面に）表示する場合の消費電力を更に見積もって、指定画像でない入力画像のみを表示する場合の消費電力と、合成画像を（全画面に）表示する場合の消費電力とを比較してもよい。そして、それらの消費電力のうちの大きい方に基づいて輝度を調整してもよい。大きい方の消費電力と所定の消費電力（閾値）とに基づいて、実施例１などで述べた補正画像（補正画像データ）を生成してもよい。これにより、合成画像を表示する場合の各入力画像の印象と、その入力画像のみを表示した場合の印象との差（ずれ）を抑制することができる。
【０１４８】
また、実施例５，６の消費電力推定部５０４では、指定領域に対応する指定光源の消費電力ＷＩＳを毎フレーム推定したが、指定領域の画像データのわずかな変動により消費電力ＷＩＳは変動する。その場合、指定光源でない光源の発光輝度の補正に用いる係数αも変動することから、指定領域外の輝度が変動することになり、ユーザが妨害感を感じる可能性がある。そこで、消費電力推定部５０４は、指定光源の最大消費電力（指定領域で想定される最大消費電力）を推定計算し、その値を消費電力ＷＩＳとして使用してもよい。最大消費電力の推定計算は、指定領域の設定変更や表示輝度の設定変更などの表示装置の設定変更をユーザが指示した際に行われればよい。入力画像データのフォーマットが変更になった際に行われてもよい。指定領域（対象領域）で想定される最大消費電力、非対象領域における合成画像データに基づく消費電力、及び、所定の消費電力（閾値）に基づいて、実施例１などで述べた補正画像データを生成してもよい。これにより、指定領域内の画像データがわずかに変動しても、指定領域外の輝度の変動を抑制することが可能となることから、ユーザは安定して作業をすることが可能となる。
【０１４９】
実施例１〜６の各機能部は、個別のハードウェアであってもよいし、そうでなくてもよ
い。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【０１５０】
また、実施例１〜６では、ローディング処理時の電力が閾値を超えるのを推定したが、パネルモジュールやバックライトモジュールでローディング処理を決定してもよい。この場合は、決定されたローディング処理に関する情報を、パネルモジュールやバックライトモジュールから受信してもよい。そして、受信した情報に基づいて、対象領域の画像データは補正しないで、非対象領域の画像データを補正し、補正後の画像データをパネルモジュールやバックライトモジュールに入力してもよい。これによっても同様の効果を得ることができる。
【０１５１】
実施例１〜６はあくまで一例であり、本発明の要旨の範囲内で実施例１〜６の構成を適宜変形したり変更したりすることにより得られる構成も、本発明に含まれる。実施例１〜６の構成を適宜組み合わせて得られる構成も、本発明に含まれる。
【０１５２】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１５３】
１０：表示パネル  ２０：発光部  １００：制御部  １０７：画像処理部
６０１：画像処理部  １２０１：表示パネル
【図１】
2019215507.tif 000004
【図２】
2019215507.tif 000005
【図３】
2019215507.tif 000006
【図４】
2019215507.tif 000007
【図５】
2019215507.tif 000008
【図６】
2019215507.tif 000009
【図７】
2019215507.tif 000010
【図８】
2019215507.tif 000011
【図９】
2019215507.tif 000012
【図１０】
2019215507.tif 000013
【図１１】
2019215507.tif 000014
【図１２】
2019215507.tif 000015
【図１３】
2019215507.tif 000016
【図１４】
2019215507.tif 000017
【図１５】
2019215507.tif 000018
【図１６】
2019215507.tif 000019
【図１７】
2019215507.tif 000020
【図１８】
2019215507.tif 000021
【図１９】
2019215507.tif 000022
【図２０】
2019215507.tif 000023
【図２１】
2019215507.tif 000024
【手続補正書】
【提出日】令和1年10月11日(2019.10.11)
【手続補正１】
【補正対象書類名】特許請求の範囲
【補正対象項目名】全文
【補正方法】変更
【補正の内容】
【特許請求の範囲】
【請求項１】
画像を画面に表示する表示手段と、
ユーザの操作に応じて前記画面のうち第１領域を設定する設定手段と、
入力画像データに基づいて前記表示手段の前記画面に画像を表示するように前記表示手段を制御する制御手段と、
を備え、
前記第１領域は、前記入力画像データが変化しても変化しない領域であり、
前記制御手段は、前記表示手段の消費電力が所定の消費電力以下になるように、前記表示手段の前記第１領域の表示輝度範囲の上限値よりも、前記表示手段の前記画面の前記第１領域でない第２領域の表示輝度範囲の上限値を低くする制御を行う
ことを特徴とする表示装置。
【請求項２】
前記表示輝度範囲の上限値は、前記表示手段に前記入力画像データの白領域が表示された場合の表示輝度である
ことを特徴とする請求項１に記載の表示装置。
【請求項３】
複数の入力画像データを受信する入力手段と、
前記複数の入力画像データを合成して合成画像データを生成する合成手段と、
をさらに備え、
前記設定手段は、ユーザの操作に応じて、前記複数の入力画像データのうち、少なくとも１つの入力画像データを選択し、前記合成手段により生成された前記合成画像データに対し、選択した入力画像データが配置された領域を、前記第１領域として設定する
ことを特徴とする請求項１または２に記載の表示装置。
【請求項４】
前記制御手段は、前記設定手段に設定された前記第１領域の一部の表示輝度範囲の上限値が、前記第１領域の他の部分の表示輝度範囲の上限値よりも低くなるように、前記表示手段を制御する
ことを特徴とする請求項１〜３のいずれか１項に記載の表示装置。
【請求項５】
前記制御手段は、前記設定手段に設定された前記第１領域の縁部分の表示輝度範囲の上
限値が、前記第１領域の中央部分の表示輝度範囲の上限値よりも低くなるように、前記表示手段を制御する
ことを特徴とする請求項４に記載の表示装置。
【請求項６】
前記制御手段は、前記第２領域に対応する前記入力画像データの部分の階調値を、前記所定の消費電力に基づく係数で低減した補正画像データに基づいて、前記表示手段を制御する
ことを特徴とする請求項１〜５のいずれか１項に記載の表示装置。
【請求項７】
前記制御手段は、前記入力画像データに基づいて前記表示手段に画像を表示した場合の消費電力、および前記所定の消費電力に基づいて、前記第２領域に対応する前記入力画像データの部分の階調値を低減して前記補正画像データを生成する
ことを特徴とする請求項６に記載の表示装置。
【請求項８】
前記制御手段は、
前記第１領域で想定される最大消費電力、前記第２領域における合成画像データに基づく消費電力、及び、前記所定の消費電力に基づいて、前記第２領域に対応する前記合成画像データの部分の階調値を低減して補正画像データを生成し、
前記補正画像データに基づいて前記表示手段を制御することにより、前記第２領域の表示輝度の上限値を低減する
ことを特徴とする請求項３に記載の表示装置。
【請求項９】
前記制御手段は、
前記複数の入力画像データのうち、選択されなかった入力画像データのみを表示した場合の消費電力と、前記合成画像データを表示した場合の消費電力とを比較し、それらの消費電力のうちの大きい方と前記所定の消費電力とに基づいて、前記第２領域に対応する前記合成画像データの部分の階調値を低減して補正画像データを生成し、
前記補正画像データに基づいて前記表示手段を制御することにより、前記第２領域の表示輝度の上限値を低減する
ことを特徴とする請求項３に記載の表示装置。
【請求項１０】
前記表示手段は、自発光型の表示パネルである
ことを特徴とする請求項１〜９のいずれか１項に記載の表示装置。
【請求項１１】
画像を画面に表示する表示手段を備える表示装置の制御方法であって、
ユーザの操作に応じて前記画面のうち第１領域を設定する設定ステップと、
入力画像データに基づいて前記表示手段の前記画面に画像を表示するように前記表示手段を制御する制御ステップと、
を有し、
前記第１領域は、前記入力画像データが変化しても変化しない領域であり、
前記制御ステップでは、前記表示手段の消費電力が所定の消費電力以下になるように、前記表示手段の前記第１領域の表示輝度範囲の上限値よりも、前記表示手段の前記画面の前記第１領域でない第２領域の表示輝度範囲の上限値を低くする制御を行う
ことを特徴とする制御方法。
【請求項１２】
コンピュータを、請求項１〜１０のいずれか１項に記載の表示装置の各手段として機能させるためのプログラム。
【請求項１３】
コンピュータを、請求項１〜１０のいずれか１項に記載の表示装置の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
本発明の第１の態様は、
画像を画面に表示する表示手段と、
ユーザの操作に応じて前記画面のうち第１領域を設定する設定手段と、
入力画像データに基づいて前記表示手段の前記画面に画像を表示するように前記表示手段を制御する制御手段と、
を備え、
前記第１領域は、前記入力画像データが変化しても変化しない領域であり、
前記制御手段は、前記表示手段の消費電力が所定の消費電力以下になるように、前記表示手段の前記第１領域の表示輝度範囲の上限値よりも、前記表示手段の前記画面の前記第１領域でない第２領域の表示輝度範囲の上限値を低くする制御を行う
ことを特徴とする表示装置である。
【手続補正３】
【補正対象書類名】明細書
【補正対象項目名】０００９
【補正方法】変更
【補正の内容】
【０００９】
本発明の第２の態様は、
画像を画面に表示する表示手段を備える表示装置の制御方法であって、
ユーザの操作に応じて前記画面のうち第１領域を設定する設定ステップと、
入力画像データに基づいて前記表示手段の前記画面に画像を表示するように前記表示手段を制御する制御ステップと、
を有し、
前記第１領域は、前記入力画像データが変化しても変化しない領域であり、
前記制御ステップでは、前記表示手段の消費電力が所定の消費電力以下になるように、前記表示手段の前記第１領域の表示輝度範囲の上限値よりも、前記表示手段の前記画面の前記第１領域でない第２領域の表示輝度範囲の上限値を低くする制御を行う
ことを特徴とする制御方法である。